(57)【特許請求の範囲】
【請求項１】
布地、表皮材などの生地の端末縫い代に接ぎ合わせ可能にする縫い代の裏面に細いうね状のミシン縫い案内線を備える軟質樹脂成形品。
【請求項２】
軟質樹脂成形小物入れが、開口周りに周囲フランジを突き出してその周囲フランジの縫い代の裏面に細いうね状のミシン縫い案内線を備え、そして、そのミシン縫い案内線に沿ってその周囲フランジのその縫い代を表皮材の端末縫い代に縫い合わせて接ぎ合わせるところの自動車シートの製造方法。
【請求項３】
軟質樹脂成形カップ・ホルダーが、開口周りに周囲フランジを突き出してその周囲フランジの縫い代の裏面に細いうね状のミシン縫い案内線を備え、そして、そのミシン縫い案内線に沿ってその周囲フランジのその縫い代をアームレストの表皮材の端末縫い代に縫い合わせて接ぎ合わせるところの自動車シートの製造方法。
【発明の詳細な説明】
【技術分野】
【０００１】
この発明は、軟質樹脂成形品および自動車シートに関し、詳細には、その軟質樹脂成形品を生地に縫い合わせる際のミシン蛇行を防止可能にする軟質樹脂成形品およびその樹脂成形品を用いる自動車シートの製造方法に関する。
【背景技術】
【０００２】
自動車シートでは、軟質樹脂成形品、例えば、軟質樹脂成形小物入れや軟質樹脂成形カップ・ホルダーは、表皮材に縫い合わせられてクッション、バックやアームレストに一体発泡されるのが一般的である。
その軟質樹脂成形品をその表皮材に縫い合わせるミシン作業では、ガイド・ジグにその表皮材を当てて縫い代距離を計っているが、この軟質樹脂成形品は、その表皮材のような伸縮がないので、そのガイド・ジグに当てられずミシン縫い目線に蛇行が生じ、意図しないステッチ・ラインが仕上がる不具合があった。
【先行技術文献】
【特許文献】
【０００３】
特開２０１２−６４５９公報
【発明の概要】
【発明が解決しようとする課題】
【０００４】
この発明の課題は、ミシン作業でガイド・ジグを省いて布地、表皮材などの生地に縫い合わせでき、仕上りを良好にして歩留りをよくし、そして、生産性を向上できてコスト低減を図るところの軟質樹脂成形品およびその軟質樹脂成形品を用いる自動車シートの製造方法を提供するにある。
【課題を解決するための手段】
【０００５】
この発明の軟質樹脂成形品は、布地、表皮材などの生地の端末縫い代に接ぎ合わせ可能にする縫い代の裏面に細いうね状のミシン縫い案内線を備える。
【０００６】
また、この発明の自動車シートは、軟質樹脂成形小物入れが、開口周りに周囲フランジを突き出してその周囲フランジの縫い代の裏面に細いうね状のミシン縫い案内線を備え、そして、そのミシン縫い案内線に沿ってその周囲フランジのその縫い代を表皮材の端末縫い代に縫い合わせて接ぎ合わせる。
【０００７】
さらには、こん発明の自動車シートは、軟質樹脂成形カップ・ホルダーが、開口周りに周囲フランジを突き出してその周囲フランジの縫い代の裏面に細いうね状のミシン縫い案内線を備え、そして、そのミシン縫い案内線に沿ってその周囲フランジのその縫い代をアームレストの表皮材の端末縫い代に縫い合わせて接ぎ合わせる。
【発明の効果】
【０００８】
この発明では、ミシン作業でガイド・ジグが省かれて軟質樹脂成形品が、その細いうね状のミシン縫い案内線に沿って布地、表皮材などの生地に縫い合わせられ、ミシン縫い目線、すなわち、ステッチ・ラインの蛇行が防止され、仕上りが良好になって歩留りがよくなり、そして、生産性が向上されてコスト低減が図られる。
【図面の簡単な説明】
【０００９】
【図１】この発明の軟質樹脂成形品の具体例をミシン作業状態で示した部分断面図である。
【図２】乗用車のリア・シートのシート・クッションに活用されるところのこの発明の自動車シートの製造方法を部分的に示した部分断面図である。
【図３】乗用車のフロント・シートのアームレストに活用されるところのこの発明の自動車シートの製造方法を部分的に示した部分断面図である。
【発明を実施するための形態】
【００１０】
この発明の軟質樹脂成形品は、布地、表皮材などの生地の端末縫い代に接ぎ合わせ可能にする縫い代の裏面に細いうね状のミシン縫い案内線を備える。
【００１１】
この発明の自動車シートの製造方法は、軟質樹脂成形小物入れが、開口周りに周囲フランジを突き出してその周囲フランジの縫い代の裏面に細いうね状のミシン縫い案内線を備え、そして、そのミシン縫い案内線に沿ってその周囲フランジのその縫い代を表皮材の端末縫い代に縫い合わせて接ぎ合わせる。
【００１２】
また、この発明の自動車シートの製造方法は、軟質樹脂成形カップ・ホルダーが、開口周りに周囲フランジを突き出してその周囲フランジの縫い代の裏面に細いうね状のミシン縫い案内線を備え、そして、そのミシン縫い案内線に沿ってその周囲フランジのその縫い代をアームレストの表皮材の端末縫い代に縫い合わせて接ぎ合わせる。
【実施例１】
【００１３】
以下、特定されて図示された具体例に基づいて、この発明の軟質樹脂成形品を説明するに、図1は、布地、表皮材などである生地２０が所定の箇所に方形開口部２１を切り抜き、その開口部２１においてその生地２０の端末縫い代２２に縫い付けられて活用されるところのこの発明の軟質樹脂成形品の具体例１０を部分的に示し、そして、この軟質樹脂成形品１０は軟質樹脂で箱形に成形され、方形開口１１の周りで外周に縫合せフランジ１２を突き出してミシン２３でその縫合せフランジ１２の縫い代１３をその生地２０のその開口部２１の端末縫い代２２に縫い合わせて接ぎ合わせ、そして、活用できるようにされる
。
【００１４】
さらに具体的に説明するに、この軟質樹脂成形品１０は、縫製可能な軟質樹脂、エラストマーなどの軟質樹脂から成形され、その縫合せフランジ１２のその縫い代１３の裏面１４に細いうね状のミシン縫い案内線１５を備える。
このミシン縫い案内線１５は、細いうね状に設定される。その場合、細いうねは幅０．５mmで高さ０．５mm程度に設定される。
【００１５】
したがって、この軟質樹脂成形品１０は、ミシン針２４をそのミシン縫い案内線１５に沿って移動させながらその縫合せフランジ１２のその縫い代１３をその生地２０のその端末縫い代２２に縫い合わせて接ぎ合わせされる。このミシン作業では、ガイド・ジグが省かれてその軟質樹脂成形品１０が、その細いうね状のミシン縫い案内線１５に沿ってその生地２０に縫い合わせられ、ミシン縫い目線、すなわち、ステッチ・ラインの蛇行が防止され、仕上りが良好になって歩留りがよくなり、そして、生産性が向上されてコスト低減が図られる。                                                                        
【実施例２】
【００１６】
図２は、乗用車のリア・シートに活用されるところのこの発明の自動車シートの製造方法の具体例３０を部分的に示し、そして、このリア・シート３０では、シート・クッション３１が予め表皮材３４に軟質樹脂成形小物入れ３６を縫い合わせて表皮３３に仕上げられ、その表皮３３をシート・クッション・フレーム（図示せず）に被せて型にセットし、そして、その表皮３３の内部に発泡性樹脂原液を注入し、一体発泡させて成形される。
【００１７】
その軟質樹脂成形小物入れ３６は、縫製可能な軟質樹脂、エラストマーなどの軟質樹脂から成形され、開口周りに周囲フランジ３８を突き出してその周囲フランジ３８の縫い代３９の裏面４０に細いうね状のミシン縫い案内線１５を備え、そして、ミシン作業でミシン針２４をそのミシン縫い案内線に沿って移動させて周囲フランジ３８のその縫い代３９をその表皮３３の端末縫い代３５に縫い合わせて接ぎ合わせられる。
【００１８】
したがって、このリア・シート３０では、ミシン作業でガイド・ジグが省かれ、ミシン縫い目線、すなわち、ステッチ・ラインの蛇行が防止され、仕上りが良好になって歩留りがよくなり、そして、生産性が向上されてコスト低減が図られる。
【実施例３】
【００１９】
図３は、乗用車のフロント・シートに活用されるところのこの発明の自動車シートの製造方法の具体例５０を部分的に示し、そして、このフロント・シート５０では、アームレスト５１が、予め表皮材５４に軟質樹脂成形カップ・ホルダー５６を縫い合わせて表皮５３に仕上げられ、その表皮５３をアームレスト・フレーム（図示せず）に被せて型にセットし、そして、その表皮５３の内部に発泡性樹脂原液を注入し、一体発泡させて成形される。
【００２０】
その軟質樹脂成形カップ・ホルダー５６は、縫製可能な軟質樹脂、エラストマーなどの軟質樹脂から成形され、開口周りに周囲フランジ５８を突き出してその周囲フランジ５８の縫い代５９の裏面６０に細いうね状のミシン縫い案内線１５を備え、そして、ミシン作業でミシン針２４をそのミシン縫い案内線に沿って移動させて周囲フランジ５８のその縫い代５９をその表皮５３の端末縫い代５５に縫い合わせて接ぎ合わせられる。
【００２１】
したがって、このフロント・シート５０では、ミシン作業でガイド・ジグが省かれ、ミシン縫い目線、すなわち、ステッチ・ラインの蛇行が防止され、仕上りが良好になって歩留りがよくなり、そして、生産性が向上されてコスト低減が図られる。
【００２２】
先に図面を参照して説明されたところのこの発明の特定された具体例から明らかであるように、この発明の属する技術の分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００２３】
上述から理解されるように、この発明の軟質樹脂成形品は、布地、表皮材などの生地の端末縫い代に接ぎ合わせ可能にする縫い代の裏面に細いうね状のミシン縫い案内線を備えるので、この発明の軟質樹脂成形品では、ミシン作業でガイド・ジグが省かれてその細いうね状のミシン縫い案内線に沿って布地、表皮材などの生地に縫い合わせられ、ミシン縫い目線、すなわち、ステッチ・ラインの蛇行が防止され、仕上りが良好になって歩留りがよくなり、そして、生産性が向上されてコスト低減が図られ、その結果、自動車シートの製造方法にとって非常に有用で実用的である。
【符号の説明】
【００２４】
１０  軟質樹脂成形品
１１  方形開口
１２  縫合せフランジ
１３  縫い代
１４  裏面
１５  細いうね状のミシン縫い案内線
２０  生地
２１  開口部／方形開口部
２２  端末縫い代
２３  ミシン
２４  ミシン針
３０  自動車シート／リア／シート
３１  シート・クッション
３２  パッド
３３  表皮
３４  表皮材
３５  端末縫い代
３６  軟質樹脂成形小物入れ
３７  開口
３８  周囲フランジ
３９  縫い代
４０  裏面
５０  自動車シート／フロント・シート
５１  アームレスト
５２  パッド
５３  表皮
５４  表皮材
５５  端末縫い代
５６  軟質樹脂成形カップ・ホルダー
５７  開口
５８  周囲フランジ
５９  縫い代
６０  裏面
【図２】
0005977084.tif 000002
【図３】
0005977084.tif 000003
【図１】
0005977084.tif 000004